(57)【要約】【課題】シートの表面が、他の布、樹脂、塗装面などに触れることが無く、安全に使用することができると共に、室内装飾品としても使用可能なようにエアーフレッシュナーを収納する収納フレームを提供する。【解決手段】フレグランス成分を含むシートを収納可能とするシート収納部を備えるように正面パネルと背面パネルとを積層した収納フレームであって、前記正面パネルの略中央には、該正面パネルを貫通する穴となる開口窓が形成され、前記背面パネルの側面には、前記シートを収納する開口となるシート収納口が形成されると共に、前記シート収納口となる開口から延設された凹部であり前記シートが収納されるシート収納部が形成されている。【選択図】図１
0003135606.tif 000002
【実用新案登録請求の範囲】
【請求項１】
フレグランス成分を含むシートを収納可能とするシート収納部を備えるように正面パネルと背面パネルとを積層した収納フレームであって、
前記正面パネルの略中央には、該正面パネルを貫通する穴となる開口窓が形成され、
前記背面パネルの側面には、前記シートを収納する開口となるシート収納口が形成されると共に、前記シート収納口となる開口から延設された凹部であり前記シートが収納されるシート収納部が形成されていることを特徴とした収納フレーム。
【請求項２】
請求項１において、前記収納フレームを傾斜させて立てかけるスタンドを前記背面パネルに設けたことを特徴とした収納フレーム。
【考案の詳細な説明】
【技術分野】
【０００１】
本考案は、フレグランス成分を含むシートを収納することができる収納フレームに関するものである。
【背景技術】
【０００２】
従来のエアーフレッシュナーと呼ばれる香り付きカードは、絵柄や文字の印刷に加えて、芳香成分を封入して香りを付け、使用者に対して視覚と嗅覚を刺激するものである。（例えば、特許文献１参照）。
【０００３】
また、一般的に市販されているエアーフレッシュナーは、紙製でフレグランスオイルが浸透されているものである。このエアーフレッシュナーは、薄いため吊り下げて使用する以外になく、楽しむための要素が限定的であった。また、従来の壁掛け、写真立てなどにおいては、その内部に芳香剤を封入する以外には、香りを楽しむことはできないものである。
【０００４】
そして、従来の吊り下げて使用される紙製のエアーフレッシュナーのシートの表面が、布・樹脂・塗装面などに触れると、その触れた面が変色したり、変形したりする恐れがあるものであった。
【特許文献１】特開平６−２４７０７４号公報
【考案の開示】
【考案が解決しようとする課題】
【０００５】
そこで、本考案は、上記従来技術の問題点に斯かる実情に鑑みなされたもので、シートの表面が、他の布、樹脂、塗装面などに触れることが無く、安全に使用することができると共に、室内装飾品としても使用可能なようにエアーフレッシュナーを収納する収納フレームを提供することを課題とする。
【課題を解決するための手段】
【０００６】
本考案は、フレグランス成分を含むシートを収納可能とするシート収納部を備えるように正面パネルと背面パネルとを積層した収納フレームであって、前記正面パネルの略中央には、該正面パネルを貫通する穴となる開口窓が形成され、前記背面パネルの側面には、前記シートを収納する開口となるシート収納口が形成されると共に、前記シート収納口となる開口から延設された凹部であり前記シートが収納されるシート収納部が形成されていることを特徴とする。
【０００７】
また、前記収納フレームを傾斜させて立てかけるスタンドを前記背面パネルに設けられていることが好ましい。
【考案の効果】
【０００８】
本考案によれば、フレグランス成分を含むシートを、他の布、樹脂、塗装面などに触れることが無いように、収納フレームの内部に収納可能とし、また、収納フレームの正面パネルには開口窓が形成され、この開口窓より、フレグランス成分を含むシートからのフレグランス成分が放出されるものである。これにより、この収納フレームを如何なる場所にも安全に配置することができるものである。
【０００９】
また、好きな絵柄、好きな香りから選んだフレグランス成分を含むシートを収納することが可能であり、例えば、フレグランス成分が無くなり香りが無くなってシート交換するか、又は、そのまま室内装飾品として使用し続けることも可能であるため使用用途を限定しないものである。
【００１０】
そしてに、背面パネルにスタンドを設けることによって、該収納フレームを安定した状態で立設させることが可能となるものである。
【考案を実施するための最良の形態】
【００１１】
フレグランス成分を含むシートを収納可能とするシート収納部を備えるように正面パネルと背面パネルからなる収納フレームであって、前記正面パネルの略中央には、該正面パネルを貫通する穴となる開口窓が形成され、前記背面パネルの側面には、前記シートを収納する開口となるシート収納口が形成されると共に、前記シート収納口となる開口から延設された凹部であり前記シートが収納されるシート収納部が形成されているものである。
【００１２】
また、前記収納フレームを傾斜させて立てかけるスタンドを前記背面パネルに設けることもある。
【実施例１】
【００１３】
以下、図面を参照して本考案に係る収納フレームの一実施例を説明する。図１は、収納フレーム１０の正面側から見た斜視図であり、図２は、収納フレーム１０を背面側から見た斜視図である。この収納フレーム１０は、図３に示すようなエアーフレッシュナーと呼ばれるフレグランス成分が塗布又は封入或いは浸透されたシート２２を収納する収納フレーム１０である。
【００１４】
本考案の収納フレーム１０は、図１及び図２に示すように、薄肉方形状に形成された正面パネル１２と、同じく薄肉方形状に形成された背面パネル１６を積層して形成されている。この収納フレーム１０を構成する正面パネル１２及び背面パネル１６は、アクリルなどの樹脂素材で一体形成されている。この収納フレーム１０を構成する他の素材として、アルミやステンレスとなる金属部材、木材及びガラス材などの素材を用いるようにして積層しても構わない。
【００１５】
また、実施例では、正面パネル１２の形状を方形状としたが、これに限定されずハート型、円形、動物型の形状など、どのような形状に形成されていても構わないものである。
【００１６】
そして、収納フレーム１０の正面パネル１２の中央には、正面パネル１２を貫通する方形状の穴となる開口窓１４が形成されており、この開口窓１４より、フレグランス成分を含むシート２２からのフレグランス成分が放出されるものである。この開口窓１４も、実施例においては、方形状の穴としているが、収納されるシートよりも小さい穴であれば、楕円、多角形、円形、キャラクターの形状など、どのような形状の穴であっても構わないものである。
【００１７】
また、この正面パネル１２の開口窓１４の周囲には、様々な装飾（図示しない）が施された装飾部が形成されているものである。例えば、開口窓１４の周囲に凹凸や穴などにより幾何学模様を彫刻したり、布地で覆ったり、ジグソーパズルのピース片の如く凹部や凸部を形成したりするようにしても構わない。そして、無色透明を含む様々な色で形成することもできるものである。このように正面パネル１２の開口窓１４の周囲に装飾部を配し、収納フレーム１０の装飾を施すことによって、収納フレーム１０の自体の趣向を高め、室内装飾品としても使用できるものとなるものである。
【００１８】
収納フレーム１０の背面パネル１６は、正面パネル１２の開口窓１４よりも、大きく形成されており、また、該背面パネル１６の側面には、フレグランス成分を含むシート２２を収納する線条の開口となるシート収納口１８が形成されると共に、該シート収納口１８となる開口から延設された凹部でありシート２２が収納されるシート収納部２０が形成されている。
【００１９】
図３に示すように、フレグランス成分を含むシート２２を、線条の開口となるシート収納口１８からシート収納部２０へと挿し入れることによって収納されるものである。
【００２０】
このように収納フレーム１０を成形することによって、フレグランス成分を含むシート２２は、正面パネル１２よりも内側に収納されることから、周囲の布、樹脂、塗装面などに触れることが無いようにシート２２を収納できるものである。
【００２１】
次に、図２に示すように、収納フレーム１０には、該収納フレーム１０を立設させる為のスタンド２４を備えている。このスタンド２４は、薄肉方形状で長手方向の端部が直角三角形状に形成されているものである。また、このスタンド２４は、背面パネル１６の上方隅から対向する下方隅に向けてスタンド２４が配設されており、上方隅にあたる部分が固着されている。また、上方隅の近傍で折曲可能となっているものである。
【００２２】
このスタンド２４を外側に向けて開くことによって、図４（ａ）及び図４（ｂ）に示すように収納フレーム１０を２方向（縦及び横）の向きに傾斜させて立設させることができるものである。
【００２３】
また、収納フレーム１０は、図２に示すように背面パネルの隅に頭部を有するピン２６が配設され、該ピン２６に紐を掛けることにより、壁に吊り下げて使用することもできるものである。そして、図２に示すように背面パネルの端辺中央近傍の位置に穴２８が形成され、該穴２８に壁の釘などからなる吊り下げ金具に吊り下げて使用することもできるものである。
【００２４】
次に、収納フレーム１０に収納されるフレグランス成分を含むシート２２は、紙製又は木製で、図３に示すように表面に植物、果物、風景、物、カレンダー、キャラクターなどの絵が表示されている。
【００２５】
そして、この収納されるシート２２に塗布又は封入或いは浸透されたフレグランス成分は、シート２２表面に表示された絵を示唆連想させるフレグランス成分が塗布又は封入或いは浸透されていることが好ましい。例えば、オレンジの絵が表示されたシート２２には、オレンジの香りのするフレグランス成分を塗布又は封入或いは浸透されていることが好ましい。
【００２６】
また、収納されるシート２２は、芳香を目的としたフレグランス成分に留まらず、消臭効果を有する成分を合わせて塗布又は封入或いは浸透されているようにしても構わない。そして、収納されるシート２２は、紙製に限定されることなく、樹脂、木製などからなる様々な素材で形成されていても構わない。
【００２７】
以上説明したように、シートの表面が、他の布、樹脂、塗装面などに触れることが無く、安全に使用することができると共に、室内装飾品としても使用可能なようにエアーフレッシュナーを収納する収納フレームを提供することが可能である。このように、好ましい実施例を挙げて本考案を説明したが、本考案はその実施例に限定されるものではなく、本考案の要旨の範囲内で種々に改変できる。
【図面の簡単な説明】
【００２８】
【図１】本考案の一実施例である収納フレームの斜視図面である。
【図２】本考案の一実施例である収納フレームの裏面側から見た斜視図面である。
【図３】本考案の一実施例である収納フレームにシートを挿入している状態を示す図面である。
【図４】本考案の一実施例である収納フレームを縦置き及び横置きした状態を示す図面である。
【符号の説明】
【００２９】
１０  収納フレーム
１２  正面パネル
１４  開口窓
１６  背面パネル
１８  シート収納口
２０  シート収納部
２２  シート
２４  スタンド
２６  ピン
２８  穴
【図１】
0003135606.tif 000003
【図２】
0003135606.tif 000004
【図３】
0003135606.tif 000005
【図４】
0003135606.tif 000006